(57)【要約】【課題】  踏み固められた芝面を十分にほぐした直後にそのほぐした中からゴミなどの塵埃を掻き上げてタンクの中に回収して芝面を清掃し、回収した塵埃をゴミ捨場にまで運ぶこと。【解決手段】前方に操縦席２を具備し後方の荷台部分にホッパー４を具備する車体３の中央部の下方に設けられたブラシカバー５内で回転駆動するブラシ６によって掻き上げられた芝生面上の塵埃を風洞７を通じて前記ホッパー４内に収集する芝生清掃車１において、前記車体の前方下方に芝生上面をほぐす芝ほぐし装置８を固定して、芝生上面から分離した塵埃を後方位置にあるブラシ６で掻き揚げてホッパー４内に収集すること。【選択図】図１
2016048005.tif 000002
【特許請求の範囲】
【請求項１】
前方に操縦席を具備し後方の荷台部分にホッパーを具備する車体の中央部の下方に設けられたブラシカバー内で回転駆動するブラシによって掻き上げられた芝生面上の塵埃を風洞を通じて前記ホッパー内に収集する芝生清掃車において、
前記車体の前方下方に芝生上面をほぐす芝ほぐし装置を固定して、芝生上面から分離した塵埃を後方位置にあるブラシで掻き揚げてホッパー内に収集することを特徴とする芝生清掃車。
【請求項２】
前記芝ほぐし装置は、上覆ケースの両側板に両端を回転自在に支持されて収納されたほぐし回転体と、該ほぐし回転体を回動させる駆動源と、前記車体の被取付部への取付部を上覆ケースに設けたことを特徴とする請求項１に記載の芝生清掃車。
【請求項３】
前記ほぐし回転体は、前記両側板に両端を回転自在に支持された回転軸の長手方向の外周に沿って固定した取付板に多数のスプリングタインのスプリング部の先端が外側を向くようにしてスプリング部の根元を固定したことにある。
【請求項４】
前記芝ほぐし装置の車体前方下方への固定が、車体前方下方に後方側が回転自在に固定されたリフトアームの前方側に一端が車体に固定された駆動シリンダーの他端を固定して、前記駆動シリンダーの伸縮によって前方側が上下方向に移動する前記リフトアームの前端側に設けた被取付部と前記上覆ケースに設けた取付部とを着脱自在に固定したことを特徴とする請求項１乃至３のいずれか１項に記載の芝生清掃装置。
【請求項５】
前記芝ほぐし装置の上覆ケースの前方に、前記ほぐし回転体の先端となるスプリングタインのスプリング部の先端の軌跡と芝生上面との接点が適正な位置となるように上覆ケースの高さ位置を調整できる上下高さ位置調整装置を設けたことを特徴とする請求項１乃至４のいずれか１項に記載の芝生清掃装置。
【請求項６】
前記上下高さ位置調節装置は、上覆ケースの前方に固定された支持ケースと、内部に芝生上面を走行するローラーを回転自在に設けたローラーサポートと、前記支持ケースを上下方向にガイドするために前記ローラーサポートに固定されたガイド支柱と、前記支持ケース内のガイド支柱に固定された雌ネジ部に螺合する雄ネジを外周に形成した螺子棒と、該螺子棒の支柱ケースよりの突出部分に固定した上下調整ハンドルと、該上下調整ハンドルと支持ケースの間の螺子棒に螺合したハンドルロックとを具備することを特徴とする請求項１乃至５のいずれか１項に記載の芝生清掃装置。
【請求項７】
前記上下高さ位置調整装置は、上覆ケースの前方の両側に２個設置されたことを特徴とする請求項１乃至のいずれか１項に記載の芝生清掃装置。
【請求項８】
前記上覆ケースの後方に芝ほぐし装置の姿勢を安定させるためのアウトリガーを固定したことを特徴とする請求項１乃至７のいずれか１項に記載の芝生清掃装置。
【発明の詳細な説明】
【技術分野】
【０００１】
この発明は、人工芝生や天然芝生の踏み固められた芝生上面をほぐして芝生上面から分離した塵埃等を収集しつつ走行する芝生清掃車に関する。
【背景技術】
【０００２】
周知のように、芝生が人工芝生である場合には、布基布の表面に縫い付けられた細い密な多数の芝葉の間に静電気防止のゴムチップスが入っていたり、砂、充填剤がばら蒔かれたり、更には、ゴミや落葉或いは近接地からの土の飛散などによって多種の混ざりものがあるので、これが人や車の通行によって踏み固められたり、椅子などが置かれて局所的に凹んでいた場合には、転倒した時の衝撃を吸収することが出来ない。そこで、このように芝葉が硬化して固くなった芝生面上をほぐすと共にこのほぐしによって発生した塵埃を収集する芝生清掃車が望まれている。
【０００３】
特許文献１の人工芝清掃車によると、人工芝表面をブラシ手段によって掻きあげてホースを通ってダスト袋に集められるようにしたものである。
【先行技術文献】
【特許文献】
【０００４】
【特許文献１】特表２００２−５１４９５７
【発明の概要】
【発明が解決しようとする課題】
【０００５】
しかしながら、上記の人工芝清掃車によると、ブラシで芝面を擦っているに過ぎないので、踏み固められて固くなった芝面を十分にほぐすことが出来ないという問題点がある。
【０００６】
この発明は上記事情に鑑みてなされたものであって、踏み固められた芝面を十分にほぐした直後にそのほぐした中からゴミなどの塵埃を掻き上げてタンクの中に回収して芝面を清掃し、回収した塵埃をゴミ捨場にまで運ぶようにすることを目的としてなされたものである。
【課題を解決するための手段】
【０００７】
請求項１に記載の発明は、前方に操縦席を具備し後方の荷台部分にホッパーを具備する車体の中央部の下方に設けられたブラシカバー内で回転駆動するブラシによって掻き上げられた芝生面上の塵埃を風洞を通じて前記ホッパー内に収集する芝生清掃車において、
前記車体の前方下方に芝生上面をほぐす芝ほぐし装置を固定して、芝生上面から分離した塵埃を後方位置にあるブラシで掻き揚げてホッパー内に収集する芝生清掃車としたことにある。
【０００８】
請求項２に記載の発明は、上覆ケースの両側板に両端を回転自在に支持されて収納されたほぐし回転体と、該ほぐし回転体を回動させる駆動源と、前記車体の被取付部への取付部を上覆ケースに設けたことにある。
【０００９】
前記請求項３の発明は、前記ほぐし回転体が、前記両側板に両端を回転自在に支持された回転軸の長手方向の外周に沿って固定した取付板に多数のスプリングタインのバネ軸の先端が外側を向くようにしてスプリング部の根元を固定したことにある。
【００１０】
請求項４の発明は、前記芝ほぐし装置の車体前方下方への固定が、車体前方下方に後方側が回転自在に固定されたリフトアームの前方側に一端が車体に固定された駆動シリンダーの他端を固定して、前記駆動シリンダーの伸縮によって前方側が上下方向に移動する前記リフトアームの前端側に設けた被取付部と前記上覆ケースに設けた取付部とを着脱自在に固定したことにある。
【００１１】
請求項５の発明は、前記芝ほぐし装置の上覆ケースの前方に、前記ほぐし回転体の先端となるスプリングタインのスプリング部の先端の軌跡と芝生上面との接点が適正な位置となるように上覆ケースの高さ位置を調整できる上下高さ位置調整装置を設けたことにある。
【００１２】
請求項６の発明は、前記上下高さ位置調節装置は、上覆ケースの前方に固定された支持ケースと、内部に芝生上面を走行するローラーを回転自在に設けたローラーサポートと、前記支持ケースを上下方向にガイドするために前記ローラーサポートに固定されたガイド支柱と、前記支持ケース内のガイド支柱に固定された雌ネジ部に螺合する雄ネジを外周に形成した螺子棒と、該螺子棒の支柱ケースよりの突出部分に固定した上下調整ハンドルと、該上下調整ハンドルと支持ケースの間の螺子棒に螺合したハンドルロックとを具備することにある。
【００１３】
請求項７の発明は、前記上下高さ位置調整装置は、上覆ケースの前方の両側に２個設置されたことにある。
【００１４】
請求項８は、前記上覆ケースの後方に芝ほぐし装置の姿勢を安定させるためのアウトリガーを固定したことにある。
【発明の効果】
【００１５】
前記請求項１の発明によると、車体の前方の下方に設けてある芝ほぐし装置によって固く踏み固められた芝面をほぐしながら走行しつつ、車体の中央の下方に設けられたブラシによって芝葉内の塵埃等がほぐされて芝面上に掻き出されたものの内から、ブラシの回転力で掻き揚げられた比較的軽い塵埃を風洞を通じて荷台部分に設けてあるホッパー内に取集して、芝面をきれいに清掃しながら進行するので、１台の清掃車でもってほぐしと清掃を同時に行うことが出来、効率よい作業が行える。
【００１６】
請求項２の発明によると、前記芝ほぐし装置が、上覆ケースの両側板に両端を回転自在に支持されて収納されたほぐし回転体と、該ほぐし回転体を回動させる駆動源と、前記上覆ケースに設けた車体への取付部を具備するものであるから、車幅全部の長さのほぐし幅を得られるので作業能率が向上する。又、独立した駆動源でほぐし回転体を回転させながら進行して行くので能率が向上する。
【００１７】
請求項３の発明によると、ほぐし回転体が、多数のスプリングタインのスプリング部の先端を向くように構成したものであるので、効率よく芝面をほぐすことが出来る。
【００１８】
請求項４の発明によると、芝ほぐし装置が、車体の前方に伸縮自在な駆動シリンダーで先端が上下動自在となったリフトアームの被取付部と芝ほぐし装置の上覆カバーの設けた取付部とを着脱自在に固定したものであるから、ほぐしが必要でない場所では、駆動シリンダーの操作によりリフトアームを持ち上げれば、芝ほぐし装置が芝面上から浮き上がり走行が容易になる。また、ほぐしが必要でない場所を広範囲にただ単に清掃する場合には、被取付部と取付部の固定を外し芝ほぐし装置を別途保管しておくと、芝面上の塵埃の収集だけの作業を効率よく行うことが出来る。又、車が軽くなる分だけ燃費を節減出来る。
【００１９】
請求項５の発明によると、上覆ケースの前方に、このケースの前方高さ位置を調整できる上下高さ位置調整装置設けたので、ほぐし回転体の先端のスプリングスタインの先端軌跡と芝生上面との接触度合いを調整して最適のほぐし深さ位置とすることが出来る。
【００２０】
請求項６の発明によると、前記上下高さ位置調節装置は、上覆ケースの前方に固定された支持ケースと、内部に芝生上面を走行するローラーを回転自在に設けたローラーサポートと、前記支持ケースを上下方向にガイドするために前記ローラーサポートに固定されたガイド支柱と、前記支持ケース内のガイド支柱に固定された雌ネジ部に螺合する雄ネジを外周に形成した螺子棒と、該螺子棒の支柱ケースよりの突出部分に固定した上下ハンドルと、該上下ハンドルと支持ケースの間の螺子棒に螺合したハンドルロックとを具備してなるので、上下ハンドルを回転させるだけで容易に高さ調整できる。又、ハンドルロックで締め付けることで、芝生面上の凹凸場所を走行して振動が生じても緩むことがない。
【００２１】
請求項７の発明によると、上下高さ調整装置が上覆ケースの前方の両側に２つあるので、１つの場合と比較して安定して装置の前方を支持しつつ運行できる。
【００２２】
請求項８の発明によると、アウトリガーによってほぐし装置を不使用時において安定して保管できる。
【図面の簡単な説明】
【００２３】
【図１】芝生清掃車の全体側面図
【図２】芝ほぐし装置の前方からの全体斜視図
【図３】上下高さ位置調整装置の断面説明図
【図４】芝ほぐし装置の斜め後方からの全体斜視図
【図５】アウトリガーの全体斜視説明図
【図６】ブラシカバー内で回転するブラシによる塵埃の回収説明図
【図７】図１の状態で芝ほぐし装置を持ち上げた全体側面図
【図８】芝ほぐし装置とリフトアームを分離した全体斜視図
【図９】芝ほぐし装置の断面説明図
【図１０】芝ほぐし装置の外側ケースを外した側面図
【発明を実施するための形態】
【００２４】
この発明の芝生清掃車の実施形態について図を参照しながら説明する。芝生清掃車は、図１、図６に示すように、前方に操縦席２を具備し、車体３後方の荷台部分にホッパー４を具備し、更に、車体３中央部の下方に設けられたブラシカバー５内で回転駆動するブラシ６によって掻き上げられた芝生面上の塵埃を風洞７を通じて前記ホッパー４内に収納する芝生清掃車１において、車体３の前方下方に芝生上面をほぐす芝ほぐし装置８を固定して、これによって芝生上面から分離した塵埃を前記のようにして前記ホッパー４内に収集する乗用運転の走行車である。
【００２５】
前記芝ほぐし装置８は、図２に示すように、上方と外周囲を囲まれ下方が開いた開口部を有している上覆ケース９内にその両側板１０にほぐし回転体１１の回転軸１２の両端を回転自在に支持される状態で、回転自在に収納されている。
【００２６】
図８に良く現れているように、芝ほぐし装置８の上覆ケース９の後方には、車体３の前方に設けたリフトアーム１５の被取付部１６と対をなして着脱自在な取付部１７が設けられている。この取付部１７は、図に示されているように、上ケ覆ース９の後方上面に固定している板にボルト穴１７ａを開けただけのもので、このボルト穴１７ａに前記リフトアーム１５の先端に固定している取付部１６のボルト穴１６ａを合致させてその中に、図２に示すように、ボルト１８を捩じ込み着脱自在に固定したものである。このボルト１８は、工具を使用し易いようにボルト頭が上覆ケース９から突出するように軸が長くしてあり、又、捩じ込み量を超えないように途中にナット１８ａが固定されている。又、上覆ケース９の上面には、芝ほぐし装置８を人手で持ち運びし易いように取手１９が設けられている。
【００２７】
前記リフトアーム１５は、車体３の前方の下方において、後方側が回転自在に車体３に軸支２０されて、前方側に一端側が車体３に固定された油圧シリンダーなどからなる駆動シリンダー２１の他端側が取り付けられている。これによって、操縦席２における操縦者の駆動シリンダー２１の駆動操作をすることにより、駆動シリンダー２１が伸びると軸支２０を中心にその前方側が下方へ回転するので、芝ほぐし装置８が着地し芝面のほぐしが出来る状態となる。一方、駆動シリンダー２１が縮むと前方側が軸支２０を中心に回転して前方側が持ち上がり、従って芝ほぐし装置８が持ち上がって芝面のほぐしが出来ない状態となる。このように、操縦者の駆動操縦によって芝ほぐし装置８を着地或いは持ち上げのいずれの位置にも移動することが出来る。
【００２８】
前記上覆ケース９の前方には、上蓋ケース８の前方側の高さ位置調節用の上下高さ位置調節装置２２が固定されている。この装置２２は、図３に示すように、上覆ケース９の前方端に取付け固定される縦長な支持ケース２３と、該支持ケース２３を挟むようにして上下方向にガイドされ、その下端には内部に芝生上面を走行するローラー２４を回転自在に設けたローラーサポート２５を具備している。そして、前記支持ケース２３内にあるガイド支柱２６の上方に固定している雌ネジ部２７と螺合し、前記支持ケース２３の上方に固定した回転ガイド部２８に挿通している螺子棒２９と、該螺子棒２９の先端部に固定された上下ハンドル３０と、該上下ハンドル３０と前記回転ガイド部２８の間で前記螺子棒２９に螺合していて前記螺子棒２９の緩み防止を図るためのハンドルロック棒３１とを具備してなるものである。
【００２９】
この上下高さ位置調節装置２２によって、上覆ケース９の前方側の高さ位置を上下ハンドル３０の回転によって調整して、即ち、上下ハンドル３０の正逆回転に伴って雌ネジ部２７がガイド支柱２６と共に支持ケース２３に対して上下動することで、ローラーサポート２５も車体３に対して上下動することになり、ほぐし回転体１１の先端と芝生上面とのほぐし位置が最適となるようにセットされる。この時、ローラー２４が芝生上面を走行することによる振動で螺子棒２９と雌ネジ部２７との螺合が緩まないようにハンドルロック棒３１を締め付けておく。
【００３０】
芝ほぐし装置８の後端側は、前記したように、車体３に固定してあるリフトアーム１５の被取付部１６とこの装置の取付部１７とが固定されているので、この前方端側の高さ調整だけで芝ほぐし装置８の高さ調整は十分である。ローラー２４はある程度のクッション性があれば芝生上面の小さな凹凸を吸収できて振動が少なくて済むので好ましいので、合成樹脂製のものが適している。図２に示す図では、上下高さ位置調整装置２２が上覆ケース９の前方両側に２個設置されている例が示されているが、これに限られず中央に幅広なローラー２４を具備したものを１個であっても幅小なもの３個以上でも良い。
【００３１】
上覆ケース９の後方には、芝ほぐし装置８をリフトアーム１５から取り外した時に安定を保てるようにするためにアウトリガー３２が固定されている。このアウトリガー３２は、図４、図５に示されるように、上覆ケース９に固定したガイド筒３３と、該ガイド筒３３内に収納されて上下移動する支柱部３４と、この支柱部３４を地面上で支える基盤３５と、高さ調節のためにガイド筒３３の止め穴３３ａと支柱部３４の止め穴３４ａとを止める係止棒３６及び抜け防止の止めピン３７を具備している。これにより、リフトアーム１５から芝ほぐし装置８を外した状態にしておく場合には、芝ほぐし装置８の前方を前記上下高さ位置調整装置２２で支え、後方をこのアウトリガー３２で支えるように係止棒３６によって高さ位置を合わせて固定する。逆にリフトアーム１５に固定する場合には、走行の邪魔になるので短くするように係止棒３６で調整する。これにより、単に芝生面上に積もったゴミを収集するだけの作業の場合で芝ほぐし装置８を使用しない場合の保管が容易となる。
【００３２】
前記ほぐし回転体１１は、上覆ケース９内部で回転して芝生面上をほぐすためのものである。前記回転軸１２の一方端部は、図１０に示すように、側板１０の外側へ突出しており、この突出部分に固定したスプロケット１２ａと油圧モータなどの回転駆動源１３によって回転駆動する駆動軸４０のスプロケット４０ａとを、チェーン１４で巻回して回転軸１２を回転駆動させている。これら側板１０より外側の部材は外側ケース１０ａ内に納められている。
【００３３】
又、図９に示すように、前記回転軸１２の外周の長手方向には等間隔に複数の取付板３８が取付けられ、この取付板３８に多数のスプリングダイン３９がその先端を外側に向けるようにスプリング部３９ａの根元部３９ｂが螺子止め固定されている。スプリンダイン３９の先端の軌跡は、上覆ケース９の下方の開口部にあって芝生面上と接触するよう調整される。この調整は前記上下高さ調整装置２２によって最適値に保たれるようになされる。各取付板３８へのスプリングタイン３９の横方向への取付間隔や位置は、それぞれ異なるものとしておくことにより、芝生面を均等にほぐすことが出来る。なお、ほぐし回転体１１はこの実施例に限定されることなく、他の構造のものであっても良い。
【００３４】
前記上覆ケース９の下方の開口部の周囲には、ゴムなどの可撓性部材からなる塵埃の飛散防止カバー４１が設けられており、これによってほぐし回転体１１によってほぐされた塵埃などが外へ漏れにくくしている。
【００３５】
以上のような構成からなるこの芝生清掃車１を用いて人工芝生面を清掃する場合について説明する。図１に示すように、芝ほぐし装置８を取り付けた状態で芝生面上をほぐしながら走行し、且つ、そのほぐした塵埃を後方のホッパー４内へ収集しながら走行する。この時、芝ほぐし装置８のほぐし回転体１１のスプリングタイン３９の先端の軌跡と芝生面との接触間隔が最適となるように、即ち、最も効率よく芝生上面をほぐせる位置となるように、上下高さ位置調整装置２２の上下ハンドル３０の正逆回転によって行い、定まった位置でハンドロック棒３１を締め付けて固定する。このような準備が整ってから、操縦者がブラシ６を回転駆動させながら芝生面のほぐす位置をハンドルを切りつつ走行する。ほぐされて芝葉の間から表面に現れた塵埃は、図６に示すように、後に続くブラシカバー５内で回転するブラシ６によって風洞７内に掻き上げられてホッパー４内に収集されて行く、これによって、芝生面上をほぐしつつ同時に塵埃を収集できるので作業能率が向上する。
【００３６】
作業中の芝生清掃車１の進行方向にコンクリート面、砂利面などがあった場合には、スプリングタイン３９の先端が傷つくので、操縦者は駆動シリンダー２１を縮めるように指令を与えて芝ほぐし装置８をリフトアーム１５で持ち上げて接触を避ける。再開する時は逆の操作によって芝ほぐし装置８を芝生面上に下す。
このようにして、円滑に芝生面上のほぐしと清掃を同時に行いつつ走行出来る。
【００３７】
芝生清掃車１からの芝ほぐし装置８の着脱は、ボルト１８を緩めて被取付部１６と取付部１７の固定を外してから、駆動シリンダー２１を縮めることでリフトアーム１５を持ち上げるだけの操作で良い。取付はこの逆で、取付部１７のボルト穴１７ａの上方からリフトアーム１５を下げて被取付部１６ａの穴の位置を合わせて、ボルト１８をねじ込むだけで良いので簡単である。
【産業上の利用可能性】
【００３８】
この発明の芝生清掃装置は、人工芝、天然芝のいずれにおいても使用できるので、ゴルフ場、野球場、サッカー場などの種々の競技場等の清掃に広く使用できる
【符号の説明】
【００３９】
１    芝生清掃車      
２    操縦席  
３    車体  
４    ホッパー
５    ブラシカバー    
６    ブラシ
７    風洞
８    芝ほぐし装置
９    上覆ケース
１０  側板
１１  ほぐし回転体
１２  回転軸                           
１３  回転駆動源
１４  チェーン
１５  リフトアーム
１６  被取付部
１７  取付部
１８  ボルト
１９  取手
２０  軸支
２１  駆動シリンダー
２２  上下高さ位置調整装置
２３  支持ケース
２４  ローラー
２５  ローラーサポート
２６  ガイド支柱
２７  雌ネジ部
２８  回転ガイド部
２９  螺子棒
３０  上下ハンドル
３１  ハンドルロック棒
３２  アウトリガー
３３  ガイド筒
３４  支柱棒
３５  基板
３６  係止棒
３７  止めピン
３８  取付板
３９  スプリングタイン
４０  駆動軸
４１  飛散防止カバー
【図１】
2016048005.tif 000003
【図２】
2016048005.tif 000004
【図３】
2016048005.tif 000005
【図４】
2016048005.tif 000006
【図５】
2016048005.tif 000007
【図６】
2016048005.tif 000008
【図７】
2016048005.tif 000009
【図８】
2016048005.tif 000010
【図９】
2016048005.tif 000011
【図１０】
2016048005.tif 000012
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
前方に操縦席を具備し後方の荷台部分にホッパーを具備する車体の中央部の下方に設けられたブラシカバー内で回転駆動するブラシによって掻き上げられた芝生面上の塵埃を風洞を通じて前記ホッパー内に収集する芝生清掃車において、
前記車体の前方下方に、芝葉が硬化して固くなった芝生上面をほぐす芝ほぐし装置を固定して、芝生上面から分離した塵埃を後方位置にあるブラシで掻き揚げてホッパー内に収集し、前記芝ほぐし装置は、上覆ケースの両側板に両端を回転自在に支持されて収納されたほぐし回転体と、該ほぐし回転体を回動させる駆動源と、前記車体の被取付部への取付部を上覆ケースに設け、前記芝ほぐし装置の上覆ケースの前方に、前記ほぐし回転体の先端となるスプリングタインのスプリング部の先端の軌跡と芝生上面との接点が適正な位置となるように上覆ケースの高さ位置を調整できる上下高さ位置調整装置を設け、前記上下高さ位置調節装置は、上覆ケースの前方に固定された支持ケースと、内部に芝生上面を走行するローラーを回転自在に設けたローラーサポートと、前記支持ケースを上下方向にガイドするために前記ローラーサポートに固定されたガイド支柱と、前記支持ケース内のガイド支柱に固定された雌ネジ部に螺合する雄ネジを外周に形成した螺子棒と、該螺子棒の支柱ケースよりの突出部分に固定した上下調整ハンドルと、該上下調整ハンドルと支持ケースの間の螺子棒に螺合したハンドルロックとを具備する
ことを特徴とする芝生清掃車。
【請求項２】
前記ほぐし回転体は、前記両側板に両端を回転自在に支持された回転軸の長手方向の外周に沿って固定した取付板に多数のスプリングタインのスプリング部の先端が外側を向くようにしてスプリング部の根元を固定したことを特徴とする請求項１に記載の芝生清掃車。
【請求項３】
前記芝ほぐし装置の車体前方下方への固定が、車体前方下方に後方側が回転自在に固定されたリフトアームの前方側に一端が車体に固定された駆動シリンダーの他端を固定して、前記駆動シリンダーの伸縮によって前方側が上下方向に移動する前記リフトアームの前端側に設けた被取付部と前記上覆ケースに設けた取付部とを着脱自在に固定したことを特徴とする請求項１乃至２のいずれか１項に記載の芝生清掃装置。
【請求項４】
前記上下高さ位置調整装置は、上覆ケースの前方の両側に２個設置されたことを特徴とする請求項１乃至３のいずれか１項に記載の芝生清掃装置。
【請求項５】
前記上覆ケースの後方に芝ほぐし装置の姿勢を安定させるためのアウトリガーを固定したことを特徴とする請求項１乃至４のいずれか１項に記載の芝生清掃装置。
【手続補正２】
【補正対象書類名】明細書
【補正対象項目名】０００７
【補正方法】変更
【補正の内容】
【０００７】
請求項１に記載の発明は、前方に操縦席を具備し後方の荷台部分にホッパーを具備する車体の中央部の下方に設けられたブラシカバー内で回転駆動するブラシによって掻き上げられた芝生面上の塵埃を風洞を通じて前記ホッパー内に収集する芝生清掃車において、前記車体の前方下方に、芝葉が硬化して固くなった芝生上面をほぐす芝ほぐし装置を固定して、芝生上面から分離した塵埃を後方位置にあるブラシで掻き揚げてホッパー内に収集し、前記芝ほぐし装置は、上覆ケースの両側板に両端を回転自在に支持されて収納されたほぐし回転体と、該ほぐし回転体を回動させる駆動源と、前記車体の被取付部への取付部を上覆ケースに設け、前記芝ほぐし装置の上覆ケースの前方に、前記ほぐし回転体の先端となるスプリングタインのスプリング部の先端の軌跡と芝生上面との接点が適正な位置となるように上覆ケースの高さ位置を調整できる上下高さ位置調整装置を設け、前記上下高さ位置調節装置は、上覆ケースの前方に固定された支持ケースと、内部に芝生上面を走行するローラーを回転自在に設けたローラーサポートと、前記支持ケースを上下方向にガイドするために前記ローラーサポートに固定されたガイド支柱と、前記支持ケース内のガイド支柱に固定された雌ネジ部に螺合する雄ネジを外周に形成した螺子棒と、該螺子棒の支柱ケースよりの突出部分に固定した上下調整ハンドルと、該上下調整ハンドルと支持ケースの間の螺子棒に螺合したハンドルロックとを具備する芝生清掃車としたことにある。
【手続補正３】
【補正対象書類名】明細書
【補正対象項目名】０００８
【補正方法】変更
【補正の内容】
【０００８】
請求項２に記載の発明は、前記ほぐし回転体は、前記両側板に両端を回転自在に支持された回転軸の長手方向の外周に沿って固定した取付板に多数のスプリングタインのスプリング部の先端が外側を向くようにしてスプリング部の根元を固定したことにある。
【手続補正４】
【補正対象書類名】明細書
【補正対象項目名】０００９
【補正方法】変更
【補正の内容】
【０００９】
請求項３に記載の発明は、前記芝ほぐし装置の車体前方下方への固定が、車体前方下方に後方側が回転自在に固定されたリフトアームの前方側に一端が車体に固定された駆動シリンダーの他端を固定して、前記駆動シリンダーの伸縮によって前方側が上下方向に移動する前記リフトアームの前端側に設けた被取付部と前記上覆ケースに設けた取付部とを着脱自在に固定したことにある。
【手続補正５】
【補正対象書類名】明細書
【補正対象項目名】００１０
【補正方法】変更
【補正の内容】
【００１０】
請求項４に記載の発明は、前記上下高さ位置調整装置は、上覆ケースの前方の両側に２個設置されたことにある。
【手続補正６】
【補正対象書類名】明細書
【補正対象項目名】００１１
【補正方法】変更
【補正の内容】
【００１１】
請求項５に記載の発明は、前記上覆ケースの後方に芝ほぐし装置の姿勢を安定させるためのアウトリガーを固定したことにある。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項１の発明によると、車体の前方の下方に設けてある芝ほぐし装置によって固く踏み固められた芝面をほぐしながら走行しつつ、車体の中央の下方に設けられたブラシによって芝葉内の塵埃等がほぐされて芝面上に掻き出されたものの内から、ブラシの回転力で掻き揚げられた比較的軽い塵埃を風洞を通じて荷台部分に設けてあるホッパー内に取集して、芝面をきれいに清掃しながら進行し、前記芝ほぐし装置が、上覆ケースの両側板に両端を回転自在に支持されて収納されたほぐし回転体と、該ほぐし回転体を回動させる駆動源と、前記上覆ケースに設けた車体への取付部を具備する事により、１台の清掃車でもってほぐしと清掃を同時に行うことが出来、車幅全部の長さのほぐし幅を得られ、又、独立した駆動源でほぐし回転体を回転させながら進行して行くので、作業能率が向上する。また、前記上覆ケースの前方に上下高さ位置調整装置を設けることにより、ほぐし回転体の先端のスプリングスタインの先端軌跡と芝生上面との接触度合いを調整して最適のほぐし深さ位置とすることが出来、更に、前記上下高さ位置調節装置は、上覆ケースの前方に固定された支持ケースと、内部に芝生上面を走行するローラーを回転自在に設けたローラーサポートと、前記支持ケースを上下方向にガイドするために前記ローラーサポートに固定されたガイド支柱と、前記支持ケース内のガイド支柱に固定された雌ネジ部に螺合する雄ネジを外周に形成した螺子棒と、該螺子棒の支柱ケースよりの突出部分に固定した上下ハンドルと、該上下ハンドルと支持ケースの間の螺子棒に螺合したハンドルロックとを具備してなるので、上下ハンドルを回転させるだけで容易に高さ調整できる上、ハンドルロックで締め付けることで、芝生面上の凹凸場所を走行して振動が生じても緩むことがない。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
請求項２の発明によると、ほぐし回転体が、多数のスプリングタインのスプリング部の先端を向くように構成したものであるので、効率よく芝面をほぐすことが出来る。
【手続補正１３】
【補正対象書類名】明細書
【補正対象項目名】００１８
【補正方法】変更
【補正の内容】
【００１８】
請求項３の発明によると、芝ほぐし装置が、車体の前方に伸縮自在な駆動シリンダーで先端が上下動自在となったリフトアームの被取付部と芝ほぐし装置の上覆カバーの設けた取付部とを着脱自在に固定したものであるから、ほぐしが必要でない場所では、駆動シリンダーの操作によりリフトアームを持ち上げれば、芝ほぐし装置が芝面上から浮き上がり走行が容易になる。また、ほぐしが必要でない場所を広範囲にただ単に清掃する場合には、被取付部と取付部の固定を外し芝ほぐし装置を別途保管しておくと、芝面上の塵埃の収集だけの作業を効率よく行うことが出来る。又、車が軽くなる分だけ燃費を節減出来る。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
請求項４の発明によると、上下高さ調整装置が上覆ケースの前方の両側に２つあるので、１つの場合と比較して安定して装置の前方を支持しつつ運行できる。
【手続補正１７】
【補正対象書類名】明細書
【補正対象項目名】００２２
【補正方法】変更
【補正の内容】
【００２２】
請求項５の発明によると、アウトリガーによってほぐし装置を不使用時において安定して保管できる。